(57)【要約】【課題】マーキング領域検出の誤検出を低減し、マーキング領域画像の抽出や編集処理を可能とする。【解決手段】編集する領域をマーカーペンで囲んだ原稿を原稿トレイにセットし、キー押下により、ピックアップローラ，レジストローラ，搬送ドラムを介し搬送する（Ｓ１）。第１読取部の停止読取位置で、原稿の表面情報を読み取り（Ｓ２）、第１読取部の読み取り速度と同速度で同期した搬送により裏面情報を第２読取部で読み取り（Ｓ３）、画像処理部に入力する。原稿裏面のマーキングの検出は、密着型イメージセンサで行い、マーキング部分の特定の輝度または濃度の画像データから領域を検出（Ｓ４）。検出画像領域を表示手段に表示、所望する画像か確認し、領域を決定（Ｓ５）。所望の画像を得られなかった場合（Ｎｏ）、領域の調整を行う（Ｓ６）。所望の画像を得た場合（Ｙｅｓ）、決定領域に係る画像を記録媒体上に出力し画像形成する（Ｓ７）。【選択図】図２
2009010690.tif 000002
【特許請求の範囲】
【請求項１】
自動原稿送り装置から原稿搬送路を介した原稿が順次搬送される画像読取部に、前記原稿の表面情報を読み取る第１光学的スキャナと、前記原稿の裏面情報を読み取る第２光学的スキャナを有し、前記原稿両面の情報を取得可能な画像読取装置において、
前記原稿の表面情報を編集する編集手段と、前記原稿の裏面情報を前記表面情報の属性情報として認識する認識手段とを備え、前記原稿搬送路において前記第２光学的スキャナを前記第１光学的スキャナの下流側に配置し、かつ前記第１光学的スキャナの読み取り速度で前記第２光学的スキャナによる読み取りを行って、取得した前記裏面情報に基づき表面情報を編集することを特徴とする画像読取装置。
【請求項２】
前記原稿の裏面情報を認識する認識手段は、前記原稿裏面に特定の輝度または濃度のラインでマーキングされた座標を検出し、前記検出した座標に基づき特定した前記原稿の表面情報を編集可能とする領域を認識することを特徴とする請求項１記載の画像読取装置。
【請求項３】
前記原稿の表面情報を編集可能に特定する領域において、前記編集手段が前記領域の内側または外側のいずれかを選択して、前記選択した領域の画像を消去することを特徴とする請求項２記載の画像読取装置。
【請求項４】
前記原稿の表面情報を編集可能に特定する領域において、前記編集手段が前記領域内の画像を任意に拡大または縮小することを特徴とする請求項２記載の画像読取装置。
【請求項５】
前記認識手段が編集可能に特定した領域の表面情報を表示処理するための表示／選択手段を備えたことを特徴とする請求項１〜４のいずれか１項に記載の画像読取装置。
【請求項６】
請求項１〜４のいずれか１項に記載の画像読取装置を備え、前記画像読取装置により原稿の裏面情報に基づき表面情報を読み取り、処理して記録媒体に出力することを特徴とする画像形成装置。
【請求項７】
前記表面情報を処理して出力する記録媒体のサイズに応じて、出力する前記表面情報の倍率を選択する倍率選択手段を備えたことを特徴とする請求項６記載の画像形成装置。
【発明の詳細な説明】
【技術分野】
【０００１】
本発明は、複写機やスキャナ，プリンタ機能を有する複合機等に適用されるデジタルデータ処理を行う画像読取装置および画像形成装置に関するものである。
【背景技術】
【０００２】
従来、原稿上の文字や画像（原稿イメージ）をマーカーペンなどの指示手段により囲んだ領域を削除する、または囲んだ領域以外を削除する編集操作を操作パネル上で実行できる画像処理装置が知られている（第１従来技術：特許文献１，２，３参照）。
【０００３】
具体的に図５（ａ）〜（ｃ）を用いて説明する。図５（ａ）は画像処理する原稿１０１を示す図であり、まず、使用者はこの原稿１０１の必要とする部分にマーカーペンを使用して、図５（ｂ）に示すようにマーキング１０２する。このマーキング１０２後の原稿１０１を例えば複写機等の画像読取手段にセットして、原稿１０１の画像を読み取り、マーキング１０２の部分で囲まれた領域の画像を抽出しようとするものである。このようなマーキング１０２の領域を検出した理想的な抽出結果１０３を示すのが図５（ｃ）である。
【０００４】
また、原稿内の矩形領域を指定する手法としては、座標の入力として数値を用いて行う手法（第２従来技術）と座標入力装置等を用いて原稿上で指定する手法（第３従来技術：特許文献４，５，６参照）が存在している。  
【０００５】
前者の（第２従来技術）の手法では、例えば原稿上で矩形を構成する４点の座標あるいは矩形の１つの対角線で両端の２点の座標を、テンキー等のキーあるいは数値を示したダイヤルを用いてコントロールパネルから入力している。また、後者（第３従来技術）の手法では、例えばライトペンを用いて原稿上マーキングの点を直接指示するようになっている。
【０００６】
また、特許文献７には、２つの光学式読取装置を備え、原稿の両面を読み取って、一方の面の情報を他方の面の情報に基づき編集する装置が記載されている。
【特許文献１】特開平６−２９１９５０号公報
【特許文献２】特許第３５３６１６５号公報
【特許文献３】特開２０００−０７８３８９号公報
【特許文献４】特許第３３７６６０７号公報
【特許文献５】特開２００２−２６９４９５号公報
【特許文献６】特開平７−１１１５８４号公報
【特許文献７】特開２００６−１４８８０３号公報
【特許文献８】特開２００１−１７１２１３号公報
【発明の開示】
【発明が解決しようとする課題】
【０００７】
しかしながら、第１従来技術のような検出方法においては、マーキング部分を特定の輝度データまたは濃度データとして検出するものであるため、原稿画像中のマーキング部分以外の部分にマーキング部と同一の輝度データまたは濃度データが存在する場合には、この部分まで、マーキング部分として検出してしまうという問題が生じた。特に、黒単色で画像を形成する複写機においては、高階調（高濃度）の文字部との誤検出を避けるために、マーキングを中間調の輝度データまたは濃度データをもつもので行うため、この中間調のデータが存在しやすい絵柄部分をマーキング部分として誤検出することが多かった。
【０００８】
また、第２従来技術のような装置においては、各点の位置としてスケールを用いて事前に測定し、ｘ軸およびｙ軸を表した座標値として入力する必要があった。このため、座標値の入力までに手間と時間が掛かるばかりでなく、スケールの読み間違いを行ったり単位の設定にミスを生じさせたりする場合があった。この際には所望の領域と大きく違った領域を切り出すことになり、再度領域の指定を行う必要があった。
【０００９】
また、第３従来技術のような手法においては、原稿を広げた状態で矩形領域を指定する必要があったので、大きな原稿を編集処理の対象とすると、領域指定のための装置が大型化してしまう、また、領域の認識を一度行ってからその領域の切り出しを行うので、編集処理までに要する時間を十分短縮することができないという問題があった。
【００１０】
さらに、特許文献７には、原稿の両面を読み取る光学式読取装置として、裏面を読み取る第２の光学式読取装置の原稿搬送下流側に表面を読み取る第１の光学式読取装置が配置され、かつそれぞれ異なる搬送手段により原稿の搬送が行われており、第１の光学式読取装置への原稿搬送時に速度変動が生じ、領域の認識位置が正確に行われない可能性がある。
【００１１】
本発明は、前記従来技術の問題を解決することに指向するものであり、マーキングした領域の検出における誤検出を低減し、マーキングにより特定された領域における画像の抽出や編集処理を可能とする画像読取装置および画像形成装置を提供することを目的とする。
【課題を解決するための手段】
【００１２】
前記の目的を達成するために、本発明に係る請求項１に記載した発明の画像読取装置は、自動原稿送り装置から原稿搬送路を介した原稿が順次搬送される画像読取部に、原稿の表面情報を読み取る第１光学的スキャナと、原稿の裏面情報を読み取る第２光学的スキャナを有し、原稿両面の情報を取得可能な画像読取装置において、原稿の表面情報を編集する編集手段と、原稿の裏面情報を表面情報の属性情報として認識する認識手段とを備え、原稿搬送路において第２光学的スキャナを第１光学的スキャナの下流側に配置し、かつ第１光学的スキャナの読み取り速度で第２光学的スキャナによる読み取りを行って、取得した裏面情報に基づき表面情報を編集することを特徴とし、この構成によって、原稿表面のマーキングによって原稿画像を損なうことなく、裏面情報により表面情報の編集用の属性情報を認識し、かつ第１，第２の光学的スキャナの読み取り速度の変動を抑えて確実に認識でき、また、属性情報の検出は独立した検出手段ではなく、両面画像の読取手段を用いることでコストアップなく装置を小型化できる。
【００１３】
請求項２に記載した発明は、請求項１の画像読取装置であって、原稿の裏面情報を認識する認識手段は、原稿裏面に特定の輝度または濃度のラインでマーキングされた座標を検出し、検出した座標に基づき特定した原稿の表面情報を編集可能とする領域を認識することを特徴とし、この構成によって、裏面にラインのマーキングを施すことで、原稿表面の画像を損なうことなくこのマーキングにより領域を検出し、検出領域に基づいて表面情報の編集ができる。
【００１４】
請求項３に記載した発明は、請求項２の画像読取装置であって、原稿の表面情報を編集可能に特定する領域において、編集手段が領域の内側または外側のいずれかを選択して、この選択した領域の画像を消去することを特徴とし、この構成によって、原稿表面の画像を損なうことなく領域指定でき、この領域指定した部分もしくは領域指定した以外の領域を編集できる。
【００１５】
請求項４に記載した発明は、請求項２の画像読取装置であって、原稿の表面情報を編集可能に特定する領域において、編集手段が領域内の画像を任意に拡大または縮小することを特徴とし、この構成によって、原稿表面の画像を損なうことなく領域指定された部分を編集できる。
【００１６】
請求項５に記載した発明は、請求項１〜４の画像読取装置であって、認識手段が編集可能に特定した領域の表面情報を表示処理するための表示／選択手段を備えたことを特徴とし、この構成によって、領域指定した部分の誤検知、あるいは誤指示したことをユーザに報知でき、さらに画像を確認しながら領域指定した部分を再指定し修正することができる。
【００１７】
請求項６に記載した発明の画像形成装置は、請求項１〜４のいずれか１項に記載の画像読取装置を備え、この画像読取装置により原稿の裏面情報に基づき表面情報を読み取り、処理して記録媒体に出力することを特徴とし、この構成によって、原稿表面のマーキングによって原稿画像を損なうことなく、裏面情報により表面情報の編集用の属性情報に基づき、原稿搬送の速度変動を抑えて確実に認識し、かつ取得した画像を記録媒体に出力できる。
【００１８】
請求項７に記載した発明は、請求項６の画像形成装置であって、表面情報を処理して出力する記録媒体のサイズに応じて、出力する表面情報の倍率を選択する倍率選択手段を備えたことを特徴とし、この構成によって、領域指定した部分の画像を倍率編集して適切な記録媒体のサイズでの画像出力することができる。
【発明の効果】
【００１９】
本発明によれば、原稿裏面に表面情報の属性情報であるマーキングを原稿表面に記載せず表面画像を損なうことがなく、かつマーキング領域の誤検出を低減して、このマーキングで特定された領域画像の抽出や編集処理が容易にできるという効果を奏する。
【発明を実施するための最良の形態】
【００２０】
以下、図面を参照して本発明における実施の形態を詳細に説明する。
【００２１】
図１は本発明の実施形態における画像読取装置を示す概略構成図である。本実施形態の画像読取装置は、図１に示すように、原稿表面を読み込む第１読取部Ｂと、原稿裏面を読み込む第２読取部Ｃを備えた構成とされている。
【００２２】
まず、第１読取部Ｂ側の構成について説明する。読み取る原稿が載置されるコンタクトガラス４を有しており、このコンタクトガラス４に下方から対向する位置には、反射ミラー５と照明ランプ６とが搭載された第１走行体７が副走査方向Ａに移動自在に配置されている。第１走行体７の反射光路には、２個の反射ミラー８により光路を折り返す第２走行体９が、副走査方向Ａに移動自在に配置されており、この第２走行体９の反射光路には、結像レンズ１０を介してＣＣＤ（Charge Coupled Device）１１が位置している。
【００２３】
第１走行体７と第２走行体９とには、走行体モータ１２がプーリやワイヤなどにより連結されており、２対１の速度で同一の副走査方向Ａに移動自在とされている。このように２個の走行体７，９が移動することにより、コンタクトガラス４に載置された原稿の読み取る画像がＣＣＤ１１により副走査方向Ａに読み取り走査されるので、ここに原稿表面を読み取る第１読取部Ｂが構成されている。
【００２４】
このような第１読取部Ｂによる原稿の読み取り走査は、原稿固定モードであるブックモードの設定下で実行されるが、ここで例示する画像読取装置（イメージスキャナ）には、前述したブックモードの他に原稿搬送モードであるＡＤＦモードも切替自在な動作モードとして設定されている。このＡＤＦモードの設定下では、図中右端に破線で図示するように、２個の走行体７，９をホームポジションとなる停止読取位置Ｄに配置した状態で、ＡＤＦ（Automatic Document Feeder）ユニット１３により原稿を副走査方向に順次搬送して画像を読み取り走査する。
【００２５】
このＡＤＦユニット１３は、原稿トレイ１４，ピックアップローラ１５，一対のレジストローラ１６，搬送ドラム１７，一対の搬送ローラ１８，一対の排紙ローラ１９等を有しており、読み取る原稿が停止読取位置Ｄを順次通過するように副走査方向に順次搬送して排紙トレイ２０に排紙させる。この排紙トレイ２０は原稿圧板２１の上面に形成されており、この原稿圧板２１はコンタクトガラス４上に開閉自在に設けられている。
【００２６】
また、ＡＤＦユニット１３のピックアップローラ１５，レジストローラ１６，搬送ドラム１７，搬送ローラ１８には、図示しないがステッピングモータからなる給紙モータがギヤ列などにより連結され原稿を同期して搬送する。なお、ＡＤＦユニット１３において、搬送ローラ１８と排紙ローラ１９間にはエンドーサーユニット２３とエンドーサープラテン２４とが配設されている。エンドーサーユニット２３は、インクを染み込ませたアルファベット文字と数字との印からなる印字部と、この印字部をエンドーサープラテン２４側に加圧する加圧ソレノイド（図示せず）とにより構成されており、読み取り済みの原稿をエンドーサーユニット２３上に停止させ、エンドーサープラテン２４で加圧方向に固定し、エンドーサーユニット２３中の印字部の加圧により原稿面にアルファベット文字や数字を印字することができる。
【００２７】
次に、第２読取部Ｃについて説明する。この第２読取部Ｃは、ＡＤＦユニット１３中の搬送ドラム１７より原稿搬送方向の下流であって搬送ローラ１８の前段に設定され、密着型イメージセンサ２６と白色ローラ２７とを後付け配設することにより構成される。ここで、図１に示すように、密着型イメージセンサ２６はＣＣＤ１１側とは逆側の原稿面（裏面）の読み取りを行うもので、搬送経路の上方側に下向きに配設されており、原稿面を照明するランプや等倍結像レンズアレイやセンサアレイを一体化してなる等倍型の光電変換素子である。搬送経路を挾んで反対側に位置する白色ローラ２７は密着型イメージセンサ２６による読み取り時のシェーディング補正用白色部材としても使用される。
【００２８】
図２は本発明の実施形態１におけるラインでマーキングした領域を検出する処理動作を示すフローチャートである。ここで、原稿の表面にはこの原稿の画像情報、裏面には表面情報の属性情報が記載されており、この原稿の読み取りに関する処理を行う。以下、図２に示すフローチャートに基づき図１を参照しながら処理動作を説明する。
【００２９】
図２に示すように、まず使用者は、例えば、図３（ａ）の原稿１０１の一部を領域指定し、その領域内外を編集するときには、図３（ｂ）に示すように、所定のマーカーペン等を用いて、領域指定したい部分を囲むように原稿１０１裏面にマーキング１０２する。そして、この原稿１０１を図１に示す原稿トレイ１４にセットする。
【００３０】
図１に示す画像読取装置を備えた画像形成装置、例えば複写機の操作パネル上の「コピースタート」キーが押下されると、原稿トレイ１４にセットされた原稿はピックアップローラ１５、レジストローラ１６、搬送ドラム１７を介して搬送される（Ｓ１）。
【００３１】
第１読取部Ｂの停止読取位置Ｄにおいて、原稿画像の読み取りを開始する。原稿の表面情報は第１読取部Ｂで読み取られ（Ｓ２）、さらに、第１読取部Ｂの読み取り速度と同じ速度で同期して搬送され、原稿の裏面情報が第２読取部Ｃで読み取られて（Ｓ３）、各々デジタルデータとなって画像処理部（図示せず）に入力される。
【００３２】
ここで、処理Ｓ３の属性情報として原稿裏面に記載されたマーキングの検出は、図１に示す密着型イメージセンサ２６により行う。さらに、マーキング領域の検出は、マーキングの部分に対応した特定の輝度または濃度の画像データによって囲まれた領域を検出するものである（Ｓ４）。
【００３３】
次に、検出した画像領域を操作パネル上の表示手段に表示する。このとき、原稿裏面の属性情報から検出した領域の表面情報に、所望する画像が得られているか確認し、領域を決定する（Ｓ５）。
【００３４】
処理Ｓ５において、所望の画像が得られなかった場合（Ｓ５のＮｏ）、領域の調整を行う（Ｓ６）。具体的には、マーキング部分で囲まれた領域角部の座標に対して、座標の数値入力や表示画面上からライトペン入力等によって変更することが考えられる。また、所望の画像が得られた場合（Ｓ５のＹｅｓ）、決定された領域に係る画像データを記録媒体上に出力し画像形成を行う（Ｓ７）。
【００３５】
以上のように、原稿の裏面に表面情報の属性情報であるマーキングを表面に記載しないため、このマーキングの記載によって原稿の表面画像を損なうことなく、表面と同速での搬送により裏面の属性情報を正確に認識し、これに基づいて表面情報を編集することができ、また、属性情報を検出する手段は独立した検出手段を別途設けたものではなく、後付する両面画像の読取手段と兼用するためコストアップがなく、装置の小型化も可能になる。
【００３６】
また、原稿の領域指定したい部分を囲むマーカーペンとして、特許文献８に記載されるようなインクを用いても良い。このインクを用いることにより、裏面情報の読み取り後に原稿に熱を加えることで、インクの特性により消色することができ、マーキングを消去することが可能となる。このとき、消色に使う熱源としては、裏面情報の読み取りを行う密着型イメージセンサ２６よりも原稿搬送路の下流側に設ける必要がある。この方法によれば、マーキングを施しても原稿の表面画像を損なうことはない。
【００３７】
さらに、前述の処理Ｓ５において、操作パネル上の表示手段に表示された画像の領域が所望の領域と異なるときには、特許文献８に記載されるインクを用いたマーキングによって、原稿を再度読み込ませることにはなるが複数回修正することが可能となる。
【００３８】
図４は本発明の実施形態２におけるラインでマーキングした領域を検出する処理動作を示すフローチャートである。前述の実施形態１と同様に、原稿の表面にはこの原稿の画像情報、裏面には表面情報の属性情報が記載され、この原稿の読み取りに関する処理を行う。以下、図４に示すフローチャートに基づき図１を参照しながら処理動作を説明する。
【００３９】
図４に示すように、使用者は、図３（ａ）の原稿１０１の一部を領域指定し、その領域内外を編集するときには、図３（ｂ）に示すように、所定のマーカーペン等を用いて、領域指定したい部分を囲むように原稿１０１裏面にマーキング１０２し、この原稿１０１を図１に示す原稿トレイ１４にセットする。
【００４０】
図１の画像読取装置を有する複写機の操作パネル上の「コピースタート」キーの押下により、原稿トレイ１４にセットされた原稿はピックアップローラ１５、レジストローラ１６、搬送ドラム１７を介して搬送される（Ｓ１１）。
【００４１】
第１読取部Ｂの停止読取位置Ｄにおいて、原稿画像の読み取りを開始する。原稿の表面情報は第１読取部Ｂで読み取られ（Ｓ１２）、さらに、第１読取部Ｂの読み取り速度と同じ速度で同期して、原稿の裏面情報が第２読取部Ｃで読み取られて（Ｓ１３）、各々デジタルデータとなって画像処理部（図示せず）に入力される。
【００４２】
また、処理Ｓ１３に属性情報として原稿裏面に記載されたマーキングの検出は、図１に示す密着型イメージセンサ２６で行い、マーキング領域の検出は、マーキング部分に対応した特定の輝度または濃度の画像データで囲まれた領域を検出する（Ｓ１４）。
【００４３】
次に、検出した画像領域を操作パネル上の表示手段に表示し、原稿裏面の属性情報から検出した領域に係る表面情報が、所望する画像が得られているか確認し、領域を決定する（Ｓ１５）。
【００４４】
処理Ｓ１５にて、所望の画像が得られなかった場合（Ｓ１５のＮｏ）、領域の調整を行う（Ｓ１６）。具体的には、前述したようにマーキング部分で囲まれた領域角部の座標に、数値入力や表示画面上をライトペン入力により変更する。また、所望の画像が得られた場合（Ｓ１５のＹｅｓ）、決定された領域に係る画像を、記録媒体上に出力し画像形成を行う際に、検出したマーキング領域の編集する領域内外のいずれかの選択を行う（Ｓ１７）。
【００４５】
処理Ｓ１７にて、編集するマーキング領域の内側、もしくは外側の選択は、例えば操作パネル上において行うことができる。さらに、どちらか選択された領域において、画像情報の消去、変倍等の編集を行うことも可能である（Ｓ１８）。いま、選択したマーキング領域の外側を消去した場合、図３（ｃ）に示すような画像（抽出結果１０３）が得られ、選択した領域の内側を消去した場合、図３（ｄ）のような画像（抽出結果１０３ａ）が得られる。さらに、画像形成する記録媒体サイズに応じた倍率を選択する手段を有することにより、図３（ｅ）のような画像（抽出結果１０３ｂ）を得ることも可能となる。
【００４６】
以上のように、原稿の裏面に表面情報の属性情報であるマーキングを表面に記載しないため、このマーキングの記載によって原稿の表面画像を損なわず、表面と同期した搬送により裏面の属性情報を正確に認識して領域指定、および領域指定の部分もしくは以外の領域を編集することが可能となる。
【産業上の利用可能性】
【００４７】
本発明に係る画像読取装置および画像形成装置は、原稿裏面に表面情報の属性情報であるマーキングを原稿表面に記載せず表面画像を損なうことがなく、かつマーキング領域の誤検出を低減して、このマーキングで特定された領域画像の抽出や編集処理が容易にでき、複写機やスキャナ，プリンタ機能を有する複合機等に適用されデジタルデータ処理として有用である。
【図面の簡単な説明】
【００４８】
【図１】本発明の実施形態における画像読取装置を示す概略構成図
【図２】本発明の実施形態１におけるラインマーキング領域の検出処理動作を示すフローチャート
【図３】本実施形態の（ａ）は原稿（表）、（ｂ）は原稿（裏）のマーキング、（ｃ）〜（ｅ）は抽出結果を示す図
【図４】本発明の実施形態２におけるラインマーキング領域の検出処理動作を示すフローチャート
【図５】従来の（ａ）は原稿（表）、（ｂ）は原稿（表）のマーキング、（ｃ）は抽出結果を示す図
【符号の説明】
【００４９】
１４  原稿トレイ
１５  ピックアップローラ
１６  レジストローラ
１７  搬送ドラム
１８  搬送ローラ
１９  排紙ローラ
２６  密着型イメージセンサ
２７  白色ローラ
１０１  原稿
１０２  マーキング
１０３，１０３ａ，１０３ｂ  抽出結果
Ｂ  第１読取部
Ｃ  第２読取部
Ｄ  停止読取位置
【図１】
2009010690.tif 000003
【図２】
2009010690.tif 000004
【図３】
2009010690.tif 000005
【図４】
2009010690.tif 000006
【図５】
2009010690.tif 000007